(57)【要約】【課題】爪の表面を研磨する等の前処理を行うことなく、爪に美しい仕上がりのネイルプリントを施すことのできる描画装置及び描画方法を提供する。【解決手段】元画像を描画対象面である爪Ｔの表面に投影する画像投影部６０と、画像投影部６０によって元画像が投影された状態の爪Ｔの表面を撮影して投影画像を取得する撮影部５０と、元画像を基準としたときの投影画像の変形度合を取得する変形取得部８１４と、変形取得部８１４によって取得された変形度合に基づいて、爪Ｔの表面に描画する描画像のデータを補正して描画用データを生成する描画データ生成部８１５とを備える。【選択図】図３
2019054901.tif 000002
【特許請求の範囲】
【請求項１】
元画像を描画対象の描画対象面に投影する画像投影部と、
前記画像投影部によって前記元画像が投影された状態の前記描画対象面を撮影して投影画像を取得する撮影部と、
前記元画像を基準としたときの前記投影画像の変形度合を取得する変形取得部と、
前記変形取得部によって取得された変形度合に基づいて、前記描画対象面に描画する描画像のデータを補正して描画用データを生成する描画データ生成部と、
を備える描画データ生成装置。
【請求項２】
前記変形取得部は、前記元画像から前記投影画像への変形を解消させるような逆変換データを生成し、
前記描画データ生成部は、この逆変換データを用いて前記描画像のデータを補正する請求項１に記載の描画データ生成装置。
【請求項３】
前記画像投影部によって投影される前記元画像は、全面に繰り返し柄が形成されたパターン画像である請求項１又は請求項２に記載の描画データ生成装置。
【請求項４】
前記画像投影部は、前記元画像を、その面内方向の角度を変えながら前記描画対象面に投影し、
前記撮影部は、角度の異なる複数の前記投影画像を取得し、
前記変形取得部は、複数の前記投影画像について、それぞれ前記元画像を基準としたときの変形度合を取得するものであり、
前記描画データ生成部は、複数の前記投影画像の変形度合に基づいて、前記描画対象面に描画する描画像のデータを補正する請求項１から請求項３のいずれか一項に記載の描画データ生成装置。
【請求項５】
前記描画データ生成部により生成された描画用データに基づいて前記描画対象面に描画を施す描画部を更に備えた請求項１から請求項４のいずれか一項に記載の描画データ生成装置。
【請求項６】
前記描画対象を特定する情報と、当該描画対象の形状を示す情報とを登録する登録部と、
前記描画部によって描画用データの描画を施す前記描画対象が、前記登録部に登録されている描画対象であるか否かを判断する判断部と、を更に備え、
前記画像投影部は、前記判断部によって前記登録部に登録されている描画対象ではないと判断した場合に、前記元画像を前記描画対象面に投影する請求項５に記載の描画データ生成装置。
【請求項７】
前記登録部は、前記判断部によって前記登録部に登録されている描画対象でないと判断された場合に、前記描画部によって描画対象面に描画が施された前記描画対象について、当該描画対象を特定する情報と、当該描画対象の形状を示す情報とを登録する請求項５又は請求項６に記載の描画データ生成装置。
【請求項８】
元画像を描画対象面に投影する画像投影工程と、
前記画像投影工程において前記元画像が投影された状態の前記描画対象面を撮影して投影画像を取得する撮影工程と、
前記元画像を基準としたときの前記投影画像の変形度合を取得する変形取得工程と、
前記変形取得工程において取得された変形度合に基づいて、前記描画対象面に描画する描画像のデータを補正して描画用データを生成する描画データ生成工程と、
を含んでいる描画データ生成方法。
【発明の詳細な説明】
【技術分野】
【０００１】
本発明は、描画データ生成装置及び描画データ生成方法に関するものである。
【背景技術】
【０００２】
従来、指の爪に好みのネイルデザインを描画する描画装置（ネイルプリント装置）が知られている（例えば、特許文献１参照）。このような装置を用いれば、ネイルサロン等を利用することなく、手軽にネイルプリントを楽しむことができる。
【０００３】
しかし、ネイルプリント装置の描画対象である人の爪は、幅方向の左右両端部が低く中心部近傍が高くなっていて全体に丸みを帯びた湾曲形状をしている。このため、幅方向の端部では、その傾斜の角度によって描画箇所の濃度が変動したり、描画された画像（ネイルデザイン）に伸びや歪み等を生じたりする。
また、描画対象面である爪の表面には、縦皺や凹みなど、爪によってさまざまな凹凸がある。
こうした爪の様々な形状や表面の状態を考慮せずに描画を行うと、描画した画像が不自然に伸びてしまったり、凹凸部分で画像が歪んでしまう等、美しい画像を描画することができない。
【０００４】
そこで、従来爪の湾曲形状をいくつかのパターンに分類し、描画対象である爪の形状に最も近いと思われる形状のパターンに合わせてネイルデザインの描画像データを変形させる補正を行い、描画を行うことが考えられている。  また、描画対象面に凹凸がある場合には、事前に凹凸を無くす処理をしてから描画を行うことで、仕上がりを向上させている。
例えば、爪の表面に描画を施す場合には、ユーザが自ら爪の表面の凹凸がなくなるまで専用のやすり等で研磨する前処理を行っている。
【先行技術文献】
【特許文献】
【０００５】
【特許文献１】特表２００３−５３４０８３号公報
【発明の概要】
【発明が解決しようとする課題】
【０００６】
しかしながら、パターン分類による補正は、あくまでも近似的な解決方法であるため、例えば描画対象の形状がいずれのパターンにも当てはまらないような形状である場合には高精度の補正を行うことが難しい等、完全な解決策にはなっていない。
また、描画対象の表面に凹凸がある場合に、これを除去する前処理を行うことは手間と時間を要する。
このため、ネイルプリントを行うことが面倒になり、ユーザがネイルプリントを敬遠しがちになってしまう。
また、描画対象が爪である場合、表面の凹凸を除去するために爪を研磨すると、爪の厚みが薄くなって割れやすくなったり爪の病気にかかりやすくなったりするおそれもある。
【０００７】
本発明は以上のような事情に鑑みてなされたものであり、爪の表面を研磨する等の前処理を行うことなく、爪に美しい仕上がりのネイルプリントを施すことのできる描画データ生成装置及び描画データ生成方法を提供することを利点とするものである。
【課題を解決するための手段】
【０００８】
前記課題を解決するために、本発明の描画データ生成装置は、
元画像を描画対象の描画対象面に投影する画像投影部と、
前記画像投影部によって前記元画像が投影された状態の前記描画対象面を撮影して投影画像を取得する撮影部と、
前記元画像を基準としたときの前記投影画像の変形度合を取得する変形取得部と、
前記変形取得部によって取得された変形度合に基づいて、前記描画対象面に描画する描画像のデータを補正して描画用データを生成する描画データ生成部と、
を備えることを特徴としている。
【発明の効果】
【０００９】
本発明によれば、爪の表面を研磨する等の前処理を行うことなく、爪に美しい仕上がりのネイルプリントを施すことができる。
【図面の簡単な説明】
【００１０】
【図１】本実施形態におけるネイルプリント装置の外観構成を示す斜視図である。
【図２】ネイルプリント装置から筐体を取り外して内部構成を示した要部斜視図である。
【図３】爪に元画像を投影させながら撮影する様子を模式的に示す説明図である。
【図４】（ａ）は、縦に筋の入った爪の例を示す平面図であり、（ｂ）は、（ａ）に示す爪の爪幅方向のb-b線に沿う断面図である。
【図５】本実施形態におけるネイルプリント装置の制御構成を示した要部ブロック図である。
【図６】（ａ）は、元画像であるパターン画像の一例を示す平面図であり、（ｂ）は、（ａ）に示すパターン画像を爪の表面に投影した状態を示す平面図である。
【図７】（ａ）は、投影画像の一例を示す平面図であり、（ｂ）は、（ａ）に示す投影画像の逆変換データに基づく画像の一例を示す平面図であり、（ｃ）は、（ｂ）に示す逆変換データに基づく画像を爪の表面に投影した状態を示す平面図である。
【図８】（ａ）〜（ｆ）は、元画像であるパターン画像を回転させながら投影する例を説明する模式図である。
【図９】本実施形態におけるネイルプリント装置の描画処理を示すフローチャートである。
【発明を実施するための形態】
【００１１】
図１から図９を参照しつつ、本発明に係る描画データ生成装置の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、描画データ生成装置が手の指の爪を描画対象としてこれに描画するネイルプリント装置である場合を例に説明するが、本発明における描画データ生成装置の描画データの生成対象は手の指の爪に限るものではなく、例えば足の指の爪を対象としてもよい。また、ネイルチップや各種アクセサリの表面等、爪以外のものを対象としてもよい。
【００１２】
図１に示すように、本実施形態におけるネイルプリント装置１は、ほぼ箱形に形成された筐体１１を有している。
筐体１１の上面（天板）には操作部１２が設置されている。
操作部１２は、ユーザが各種入力を行う入力部である。
操作部１２には、例えば、ネイルプリント装置１の電源をＯＮする電源スイッチ釦、動作を停止させる停止スイッチ釦、爪Ｔに描画するデザイン画像を選択するデザイン選択釦、描画開始を指示する描画開始釦等、各種の入力を行うための操作釦が配置されている。
【００１３】
また、筐体１１の上面（天板）には表示部１３が設置されている。
表示部１３は、例えば液晶ディスプレイ（ＬＣＤ：Liquid Crystal Display）、有機エレクトロルミネッセンスディスプレイその他のフラットディスプレイ等で構成されている。
本実施形態において、この表示部１３には、例えば、指Ｕ１を撮影して得た爪画像（爪Ｔの画像を含む指画像）、この爪画像中に含まれる爪Ｔの輪郭線等の画像、爪Ｔに後述する元画像を投影した状態の画像、爪Ｔに描画すべきデザイン画像を選択するためのデザイン選択画面、デザイン確認用のサムネイル画像、各種の指示を表示させる指示画面等が適宜表示される。
なお、表示部１３の表面に各種の入力を行うためのタッチパネルが一体的に構成されていてもよい。この場合には、タッチパネルが操作部１２として機能する。
【００１４】
さらに、筐体１１の前面側（図１において手前側）であって、ネイルプリント装置１のＸ方向（図１においてＸ方向）のほぼ中央部には、ネイルプリント装置１による撮影時に描画対象である爪Ｔに対応する指Ｕ１を挿入し、撮影部５０による撮影が可能な撮影可能位置にセットするための開口部１４が形成されている。
開口部１４の内側には、爪Ｔ（爪Ｔを含む指Ｕ１）を固定する指固定部３が配置されている。
【００１５】
図２は、図１に示すネイルプリント装置１から筐体１１を外してネイルプリント装置１の内部構成を示した要部斜視図である。
図２に示すように、筐体１１内には、天面板２１とこれを支持する一対の脚部２２で構成された基台２が設けられている。
天面板２１の上面であって、筐体１１の開口部１４に対応する位置には、指固定部３が配置されている。
指固定部３は装置手前側に開口部３１を有する箱状の部材であり、指固定部３内部には指Ｕ１を固定する指固定部材３２が配置されている。
指固定部材３２は、指Ｕ１を下側から押し上げ支持するものであり、例えば柔軟性を有する樹脂等で形成されている。なお、指固定部材３２は、指Ｕ１を下側から支持し得るものであればよく、その構成は特に限定されない。例えば、ばね等の弾性部材によって下方から付勢されていてもよい。また、例えば、指固定部材３２は、内圧を変化させることにより膨縮可能に構成されており、膨張状態において指Ｕ１を押し上げ、その位置を固定する構成としてもよい。
【００１６】
指固定部３の天面奥側は開口する窓部３３となっている。窓部３３からは指固定部３内に挿入された指Ｕ１の爪Ｔが露出するようになっている。
また、指固定部３の天面手前側は指Ｕ１の浮き上がりを防止して指Ｕ１の上方向の位置を規制する指押え３４となっている。指Ｕ１及びその爪Ｔは、下側から指固定部材３２によって支持され、指Ｕ１の上側が指押え３４によって押さえられることで、高さ方向の位置が所定の位置に位置決めされる。
また、本実施形態では、指挿入方向の奥側には、爪Ｔを載置する爪載置部３５が設けられている。
この爪載置部３５に爪Ｔの先を載置させることにより、爪Ｔの水平方向（すなわち、Ｘ方向及びＹ方向）の位置が規定されるとともに、その高さ方向の位置も規制される。
【００１７】
また、図２に示すように、筐体１１の内部には、描画対象面に描画を施す描画部４０が設けられている。ここで描画対象面とは、描画対象の表面であり、本実施形態では、指Ｕ１の爪Ｔの表面である。
描画部４０は、描画部本体である描画ヘッド４１、描画ヘッド４１を支持するユニット支持部材４２、描画ヘッド４１をＸ方向（図１等におけるＸ方向、ネイルプリント装置２の左右方向）に移動させるためのＸ方向移動ステージ４５、Ｘ方向移動モータ４６、描画ヘッド４１をＹ方向（図１等におけるＹ方向、ネイルプリント装置１の前後方向）に移動させるためのＹ方向移動ステージ４７、Ｙ方向移動モータ４８等を備えて構成されている。本実施形態では、Ｘ方向移動モータ４６とＹ方向移動モータ４８等により、描画ヘッド４１を移動させるヘッド移動部４９（図５参照）が構成されている。
【００１８】
本実施形態の描画ヘッド４１は、インクジェット方式で描画を行うインクジェットヘッドである。
描画ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける描画対象（爪Ｔの表面）に対向する面（本実施形態では、図１及び図２における下面）に設けられた図示しないインク吐出部とが一体に形成されたインクカートリッジ一体型のヘッドである。インク吐出部は、それぞれの色のインクを噴射する複数のノズルからなるノズルアレイを備えており、描画ヘッド４１は、インクを微滴化し、インク吐出部から描画対象の描画対象面（すなわち、爪Ｔの表面）に対して直接にインクを吹き付けて描画を行う。なお、描画ヘッド４１は、上記３色のインクを吐出させるものに限定されない。その他のインクを貯留するインクカートリッジ及びインク吐出部を備えていてもよい。
【００１９】
また、ユニット支持部材４２は、Ｘ方向移動ステージ４５に取り付けられたＸ方向移動部４５１に固定されている。Ｘ方向移動部４５１は、Ｘ方向移動モータ４６の駆動によりＸ方向移動ステージ４５上を図示しないガイドに沿ってＸ方向に移動するようになっており、これにより、ユニット支持部材４２に取り付けられている描画ヘッド４１が、Ｘ方向（図２におけるＸ方向、ネイルプリント装置１の左右方向）に移動するようになっている。
また、Ｘ方向移動ステージ４５は、Ｙ方向移動ステージ４７のＹ方向移動部４７１に固定されている。Ｙ方向移動部４７１は、Ｙ方向移動モータ４８の駆動によりＹ方向移動ステージ４７上を図示しないガイドに沿ってＹ方向に移動するようになっており、これにより、ユニット支持部材４２に取り付けられている描画ヘッド４１が、Ｙ方向（図２におけるＹ方向、ネイルプリント装置１の前後方向）に移動するようになっている。
なお、本実施形態において、Ｘ方向移動ステージ４５及びＹ方向移動ステージ４７は、Ｘ方向移動モータ４６、Ｙ方向移動モータ４８と、図示しないボールネジ及びガイドとを組み合わせることで構成されている。
本実施形態では、Ｘ方向移動モータ４６及びＹ方向移動モータ４８等により、描画ヘッド４１をＸ方向及びＹ方向に駆動するＸＹ駆動部としてのヘッド移動部４９が構成されている。
描画部４０における描画ヘッド４１、Ｘ方向移動モータ４６、Ｙ方向移動モータ４８は、後述する制御装置８０の描画制御部８１６（図５参照）に接続され、該描画制御部８１６によって制御される。
【００２０】
図２に示すように、本実施形態では、ユニット支持部材４２に描画ヘッド４１の他、撮影部５０及び画像投影部６０が支持されている。
図２では、描画ヘッド４１の側部（図２におけるＸ方向右側）に撮影部５０が配置され、この撮影部５０よりも装置奥側（図２におけるＹ方向奥側）に画像投影部６０が配置されている例を示している。
なお、撮影部５０及び画像投影部６０は、描画動作時に描画ヘッド４１の描画動作に影響を及ぼさない位置に配置されていればよく、具体的な配置は図示例に限定されない。
【００２１】
撮影部５０は、爪Ｔを撮影して、爪Ｔを含む指Ｕ１の画像である爪画像を取得する撮影手段である。
また、本実施形態では、後述する画像投影部６０によって元画像が投影された状態の爪Ｔの表面（描画対象面）を撮影して投影画像を取得する。
撮影部５０は、撮影装置５１と、照明装置５２とを備えている。
撮影装置５１は、例えば、２００万画素程度以上の画素を有する固体撮影素子とレンズ等を備えて構成された小型カメラである。
照明装置５２は、例えば白色ＬＥＤ等の照明灯である。本実施形態では、撮影装置５１を囲むように複数の照明装置５２が配置されている。なお、照明装置５２の数や配置は図示例に限定されない。
なお、撮影装置５１及び照明装置５２の位置は図示例に限定されない。本図示例のように撮影部５０が移動手段によって移動可能に構成されている場合には、爪Ｔの上方位置に移動することが可能な位置に配置されていればよい。また、例えば、撮影部５０の撮影装置５１及び照明装置５２は、爪Ｔの上方位置に固定配置されていてもよい。
この撮影部５０は、後述する制御装置８０の撮影制御部８１１に接続され、該撮影制御部８１１によって制御されるようになっている。
なお、撮影部５０によって撮影された画像の画像データは、後述する爪画像記憶領域８２１等に記憶される。
【００２２】
画像投影部６０は、元画像を爪Ｔの表面（描画対象面）に投影するものである。
本実施形態において、画像投影部６０は、元画像のデータに基づき元画像を表示させる表示パネルユニット６１と、表示パネルユニット６１に後方から光を照射する光源６２と、光源６２から照射される光の光軸上に配置された投射レンズ６３と、表示パネルユニット６１と投射レンズ６３との間に配置されたミラー６４等を備えて構成されている。ミラー６４は、後述する角度調整部６５（図５参照）により、角度調整が可能となっている。
【００２３】
画像投影部６０により爪Ｔの表面に投影される元画像は表面に凹凸がある面や曲面等に投影した際に歪み等の変形を生じ、その変形度合を検出しやすいものが好ましく、例えば、全面に繰り返し柄が形成されたパターン画像のように、画像全体に細かい模様や絵柄があるような画像であることが好ましい。このような全面に繰り返し柄が形成されたパターン画像であれば、全面的に均一的に補正情報を得ることができ、この補正情報を各種のネイルデザインの描画像データに適用しても安定して補正することができる。
本実施形態では、後述のように、全体的に均一な網目状の模様があるパターン画像（図６（ａ）参照）を元画像として用いている。なお、元画像は図示例に限定されず、例えば縦又は横のストライプ柄の画像等でもよい。
また、爪Ｔに描画するネイルデザインの画像をそのまま元画像として用いてもよい。
なお、爪Ｔに描画するネイルデザインの画像をそのまま元画像として用いる場合には、これを爪Ｔに投影した画像から得られる投影画像は当該ネイルデザインを描画する場合に限り補正情報として用いることが好ましい。ネイルデザインによっては、全面に絵柄が施されていないワンポイントデザインのもの等もあり、絵柄のない部分については正確な補正情報を得ることができない。このため、他のネイルデザインを描画する場合にこれを補正情報として用いると、補正しきれない部分が生じて画像全体を適切に補正できない可能性があるためである。
【００２４】
図３は、元画像を投影した状態の爪Ｔの表面を撮影する場合における、指固定部３に固定された爪Ｔと撮影部５０及び画像投影部６０との位置関係を模式的に示す説明図である。
図３に示すように、指固定部３内に指Ｕ１を挿入した際に爪Ｔが配置される位置の上方に、撮影部５０が配置される。また、この撮影部５０よりも装置奥側（爪Ｔの先端側）に画像投影部６０が配置される。
元画像を投影した状態の爪Ｔの表面を撮影する際には、画像投影部６０の表示パネルユニット６１に光源６２から光を照射し、投射レンズ６３を介して描画対象面である爪Ｔの表面に元画像を結像させる。このとき、角度調整部６５によってミラー６４の角度を調整することで、爪Ｔの位置が多少ずれている場合等でも、描画対象面である爪Ｔの表面に正確に元画像を投影させることができる。
図３に示す例では、撮影部５０よりも装置奥側に配置された画像投影部６０から爪Ｔの表面に元画像を投影し、爪Ｔの真上に配置された撮影部５０により爪Ｔの表面を撮影し、投影画像を取得する。
【００２５】
画像投影部６０の表示パネルユニット６１、光源６２、角度調整部６５は、後述する変形取得部８１４（図５参照）により制御されるようになっている。
なお、画像投影部６０は、元画像を爪Ｔの表面（描画対象面）に投影させることができるものであればよく、ここに例示した構成に限定されない。
例えば、ここでは、画像投影部６０が元画像のデータに基づき元画像を表示させる表示パネルユニット６１を備え、表示パネルユニット６１に表示された元画像を描画対象面に投影するデータ方式の画像投影部を例示したが、例えば、元画像の描かれたシート等を画像投影部６０内に保持させ、これに光源６２からの光を照射してシート等に描かれた元画像を爪Ｔの表面（描画対象面）に投影させてもよい。
【００２６】
撮影部５０及び画像投影部６０は、Ｘ方向移動モータ４６とＹ方向移動モータ４８等で構成されるヘッド移動部４９（図５参照）により、Ｘ方向及びＹ方向に移動可能に構成されている。
このように、ヘッド移動部４９により移動可能とすることにより、描画対象である爪Ｔを撮影する際には、指固定部３の窓部３３から露出する爪Ｔの上方に撮影部５０が配置されるようにし、描画時には指固定部３の上方に描画ヘッド４１が配置されるように、適宜移動させることができる。
【００２７】
図４（ａ）は、本実施形態における描画対象として想定される爪Ｔの一例を示す平面図であり、図４（ｂ）は、図４（ａ）に示す爪Ｔのｂ−ｂ線に沿う断面図である。
図４（ａ）及び図４（ｂ）に示すように、本実施形態の爪Ｔは、幅方向の中央部が高く、両端部に近づくほど高さが低くなる湾曲形状となっている、
また、爪Ｔの表面には、縦方向に複数の筋が刻まれており、この筋部分が図４（ｂ）に示すように複数の凹凸部Ｔａとなっている。
【００２８】
制御装置８０は、例えば筐体１１天面の下面側等に配置された図示しない基板等に設置されている。
図５は、本実施形態における制御構成を示す要部ブロック図である。
制御装置８０は、図５に示すように、図示しないＣＰＵ（Central Processing Unit）により構成される制御部８１と、ＲＯＭ（Read Only Memory）及びＲＡＭ（Random Access Memory）等（いずれも図示せず）で構成される記憶部８２とを備えるコンピュータである。
【００２９】
記憶部８２には、ネイルプリント装置１を動作させるための各種プログラムや各種データ等が格納されている。
具体的には、記憶部８２のうち、ＲＯＭ等で構成されるプログラム記憶領域８２０には、爪画像から爪Ｔの形状や爪Ｔの輪郭、爪の幅、爪の面積等の各種の爪情報を検出するための爪情報検出プログラム、補正情報を得るための変形取得プログラム、描画用データを生成するための描画データ生成プログラム、描画処理を行うための描画プログラム等の各種プログラムが格納されており、これらのプログラムが制御装置８０によって実行されることによって、ネイルプリント装置１の各部が統括制御されるようになっている。
また、本実施形態において記憶部８２には、撮影部５０によって取得されたユーザの指Ｕ１の爪Ｔの爪画像を記憶する爪画像記憶領域８２１、爪情報検出部８１３によって検出された爪情報（爪Ｔの輪郭や爪Ｔの傾斜角度等）が記憶される爪情報記憶領域８２２、補正情報記憶領域８２３及び爪Ｔに描画されるネイルデザインの画像データを記憶するネイルデザイン記憶領域８２４等が設けられている。
本実施形態において、記憶部８２は、描画対象（爪Ｔ）を特定する情報と、当該描画対象の形状を示す情報とを登録する登録部として機能する（例えば、記憶部８２の爪画像記憶領域８２１、爪情報記憶領域８２２、補正情報記憶領域８２３）。
【００３０】
制御部８１は、機能的に見た場合、撮影制御部８１１、投影制御部８１２、爪情報検出部８１３、変形取得部８１４、描画データ生成部８１５、描画制御部８１６、表示制御部８１７等を備えている。また、本実施形態の制御部８１は、描画部４０によって描画用データの描画を施す描画対象（爪Ｔ）が、登録部である補正情報記憶領域８２３に登録されている描画対象（爪Ｔ）であるか否かを判断する判断部としても機能する。これら撮影制御部８１１、投影制御部８１２、爪情報検出部８１３、変形取得部８１４、描画データ生成部８１５、描画制御部８１６、表示制御部８１７等としての機能は、制御部８１のＣＰＵと記憶部８２のプログラム記憶領域８２０に記憶されたプログラムとの共働によって実現される。
【００３１】
撮影制御部８１１は、撮影部５０の撮影装置５１及び照明装置５２を制御して撮影装置５１により、指固定部３に固定された指Ｕ１の爪Ｔの画像を含む指の画像（爪画像）を撮影させるものである。
撮影部５０により取得された爪画像の画像データは、記憶部８２の爪画像記憶領域８２１に記憶される。
また、本実施形態では、撮影制御部８１１は、画像投影部６０によって元画像が投影された爪Ｔの表面を撮影装置５１により撮影して、投影画像を取得する。以下では、元画像が投影された爪Ｔの表面を撮影した画像から爪Ｔの部分を除去したものを投影画像（例えば、図７（ａ）参照）とする。投影画像は、補正情報記憶領域８２３に記憶されてもよい。
【００３２】
投影制御部８１２は、画像投影部６０の各部の動作を制御する。
例えば、投影制御部８１２は、描画対象面に投影する元画像を設定し、元画像データに基づく画像を表示パネルユニット６１に表示させる。そして、光源６２を点灯させ、元画像を描画対象面に投影する。このとき、投影制御部８１２は、角度調整部６５を制御してミラー６４の角度を調整し、撮影部５０の斜め後方からでも元画像が適切に爪Ｔの表面に投影されるようにする。
なお、角度調整部６５の調整は、撮影部５０による撮影を行いながら、当該画像の位置や角度から元画像が正しく投影されているか否かを判断して自動的に行ってもよいし、撮影部５０による撮影を行いながら当該画像を表示部１３等に表示させ、ユーザが表示部１３等に表示された画像を目視にて確認し、操作部１２等から手動で調整を行ってもよい。
【００３３】
爪情報検出部８１３は、撮影装置５１によって撮影された指固定部３に固定された指Ｕ１の爪Ｔの画像に基づいて、指Ｕ１の爪Ｔについての爪情報を検出するものである。
ここで、爪情報とは、例えば、爪Ｔの輪郭（爪形状、爪Ｔの水平位置のＸＹ座標等）、爪Ｔの高さ（爪Ｔの垂直方向の位置、以下「爪Ｔの垂直位置」又は単に「爪Ｔの位置」ともいう。）等である。
【００３４】
本実施形態では、爪情報検出部８１３は、変形取得部８１４を含んでいる。
変形取得部８１４は、撮影部５０によって投影画像が取得されたときに、元画像を基準としたときの投影画像の変形度合を取得する。
【００３５】
図６（ａ）は、本実施形態における元画像の例を示したものであり、図６（ｂ）は、図６（ａ）に示す元画像を爪Ｔの表面に投影した状態を示している。
図６（ａ）に示すように、本実施形態における元画像は、繰り返し柄である網目状の模様が全面に形成されたパターン画像である。
この網目状の模様の元画像を、凹凸部Ｔａを有し幅方向に湾曲した図４（ａ）及び図４（ｂ）に示すような爪Ｔの表面に投影すると、その投影画像は、図６（ｂ）に示すように、爪Ｔの形状に応じて網目模様が歪み変形したものとなる。
図７（ａ）は、撮影部５０によって撮影された画像（爪Ｔに投影画像が重畳された画像）から爪Ｔの画像を取り除いて、元画像に対応する変形後の画像である投影画像を抽出した例を示したものである。
図７（ａ）に示すように、元画像を表面に凹凸部Ｔａのある爪Ｔに投影すると、図６（ａ）に示す元画像の網目模様が爪Ｔの表面形状に応じて線の一部が伸長又は収縮し、歪みが生じる。
【００３６】
変形取得部８１４は、この変形後の投影画像（図７（ａ）に示す画像）と変形前の元画像（図６（ａ）に示す画像）とを比較して、元画像のどの部分がどのようにどの程度変形したのかの変形度合を取得する。
なお、本実施形態では、元画像を爪Ｔの表面に投影して撮影を行い、投影画像を取得したのち、変形取得部８１４が両者を比較して変形（変位）を検出できなかった場合には、画像投影部６０は、元画像を、その面内方向の角度を変えながら爪Ｔの表面に投影させ、撮影部５０は、角度の異なる複数の投影画像を取得し、変形取得部８１４は、複数の投影画像について、それぞれ元画像を基準としたときの変形度合を取得するようになっている。
具体的には、表示パネルユニット６１に表示させる元画像を面内方向に所定角度回転させ、回転後の元画像を再度爪Ｔの表面に投影して撮影を行って投影画像を取得し、変形取得部８１４による変形（変位）の検出を行う。
なお、変形取得部８１４が元画像と投影画像とを比較して変形（変位）を検出することができた場合でも、元画像を所定角度ずつ複数回回転させて、異なる角度で撮影された複数の投影画像を取得してもよい。これにより、例えば、目の粗い格子柄や、ストライプ柄等の元画像を用いる場合でも、補正情報を得ることのできない空白部分を極力減らすことができ、より詳細で正確性の高い補正情報を取得することができる。
なお、元画像を面内方向に回転させながら複数の投影画像を取得することは必須ではなく、１つの投影画像から補正情報を取得してもよい。
また、元画像を回転させる場合、回転させる角度、何回回転させるかは特に限定されず、任意に設定可能である。
【００３７】
変形取得部８１４が取得する変形度合はどのような形式のデータでもよい。例えば、元画像を構成する各画素が変形後の投影画像中のどの位置に対応するか（すなわち各画素の座標値がどのように移動（変位）したか）のデータを変形度合のデータとして取得する。
また、元画像を構成する全画素についてその座標値の変位を取得するのではなく、例えば、図６（ａ）に示す元画像の網目模様の網の交差している点等、所定の点について、それぞれ座標値の変位を取得し、これを変形度合のデータとしてもよい。
そして、変形取得部８１４は、この変形度合を取得すると、元画像から投影画像への変形を解消させるような逆変換データを生成する。
【００３８】
図７（ｂ）は、逆変換データに基づく画像の例を示したものである。
図７（ｂ）に示すように、逆変換データに基づく画像（図７（ｂ）に示す画像）は、元画像（図６（ａ）に示す画像）を基準としたときに、投影画像（図７（ａ）に示す画像）において変位（変形）した部分について、投影画像とは逆方向に変位（変形）させたものである。
図７（ｃ）は、図７（ｂ）に示す逆変換データに基づく画像を仮に爪Ｔの表面に投影した場合の画像の見え方を例示したものである。
図７（ｃ）に示すように、逆変換データに基づく画像を爪Ｔの表面に投影すると、元画像（図６（ａ）に示す画像）における網目模様がそのまま歪まずに爪Ｔの表面に映し出される。このように、爪Ｔの表面に投影したときに見かけ上歪みのない画像となるような画像データであれば、これに基づいて爪Ｔの表面に描画を行った場合にも見かけ上歪みのない画像を描画することができる。
【００３９】
爪情報検出部８１３によって検出された爪情報は、記憶部８２の爪情報記憶領域８２２に記憶される。
また、変形取得部８１４によって取得された、元画像から投影画像への変形度合のデータや、逆変換データは、補正情報として補正情報記憶領域８２３等に記憶される。
爪情報記憶領域８２２に記憶された爪情報や補正情報記憶領域８２３に記憶された補正情報は、後述する描画データ生成部８１５が描画用データを生成する際の補正用のデータとして参照される。
【００４０】
なお、本ネイルプリント装置１を用いてネイルプリントを行う場合、少なくとも初めて装置を使用する際には、描画を予定している指（例えば、左右の親指から小指までの１０本の指）について、順次爪Ｔに元画像を投影した状態で撮影を行い、取得された投影画像とユーザを識別するための情報や各指種（すなわち、親指、小指等の種別）を示す情報等（指の種別情報や各爪Ｔの形状を示す爪情報や爪画像等）と対応付けて記憶部８２の補正情報記憶領域８２３等に記憶させ、登録させるようにしてもよい。
この場合、一旦登録された補正情報はリセットや更新がなされるまで保存され、２回目以降の描画処理においては、既に登録されている情報がある場合、この既登録の補正情報がデフォルトとして参照されるようにしてもよい。  このようにすれば、描画処理を行う度に補正情報を得るための撮影等を行う必要がなく、これに要する手間と時間を省いて、描画処理をより迅速に行うことが可能となる。
【００４１】
描画データ生成部８１５は、変形取得部８１４を含む爪情報検出部８１３により検出された爪情報に基づいて、描画ヘッド４１により指Ｕ１の爪Ｔに施される描画用のデータを生成する。
具体的には、描画データ生成部８１５は、爪情報検出部８１３により検出された爪Ｔの形状等に基づいてネイルデザインの画像データを拡大、縮小、切出し等することにより爪Ｔの形状に合わせ込む合せ込み処理を行う。
【００４２】
また、描画データ生成部８１５は、変形取得部８１４により検出された補正情報に応じて、適宜爪Ｔの曲面形状や凹凸形状等に対応した補正を行う。
具体的には、描画データ生成部８１５は、変形取得部８１４によって取得された変形度合に基づいて、描画対象面である爪Ｔの表面に描画する描画像のデータを補正して描画用データを生成する。
本実施形態では、描画データ生成部８１５は、変形取得部８１４により生成された逆変換データを用いて描画像のデータを補正する。
例えば、投影画像のサイズと描画像のサイズとが同じである場合には、投影画像の各画素及びこれを逆変換した逆変換データの画像の各画素の座標値と、描画像のデータの各画素の座標値は一致する。
このため、描画像の各画素の座標値を、逆変換データの画像の対応する各画素の座標値に合せて変換することにより、湾曲したり凹凸部Ｔａを有する爪Ｔの表面に描画した場合に、見かけ上、元のネイルデザインと同じに見えるような描画用データを生成することができる。
なお、投影画像の角度を変えながら複数回の撮影が行われ、複数の投影画像が取得された場合には、描画データ生成部８１５は、これら複数の投影画像の変形度合に基づいて、描画対象面である爪Ｔの表面に描画する描画像のデータを補正する。
【００４３】
描画制御部８１６は、描画データ生成部８１５によって生成された描画用データに基づいて描画部４０に制御信号を出力し、爪Ｔに対してこの描画用データにしたがった描画を施すように描画部４０のＸ方向移動モータ４６、Ｙ方向移動モータ４８、描画ヘッド４１等を制御する制御部である。
本実施形態において、描画制御部８１６は、撮影部５０による撮影が行われるときは、撮影装置５１が爪Ｔの上方（真上）に配置されるようにヘッド移動部４９を制御する。
【００４４】
表示制御部８１７は、表示部１３を制御して表示部１３に各種の表示画面を表示させるものである。本実施形態では、表示制御部８１７は、例えばネイルデザインの選択画面やデザイン確認用のサムネイル画像、指Ｕ１を撮影して取得した爪画像、爪Ｔに元画像を投影した画像、各種の指示画面、操作画面等を表示部１３に表示させるようになっている。
【００４５】
次に、図９等を参照しつつ、本実施形態における描画データ生成方法及び当該描画データを用いて描画する方法について説明する。
ネイルプリント装置１によりネイルプリントを行う場合には、表示制御部８１７は、ネイルデザイン記憶領域８２４からネイルデザインを読み出して、ユーザにネイルデザインの選択を求める画面を表示部１３に表示させる（ステップＳ１）。ユーザが表示部１３に表示された中からユーザがいずれかのネイルデザインをタッチ操作等の入力操作を行うことにより選択すると、所望のネイルデザインが爪Ｔに描画するデザインとして選択される。
さらに、表示制御部８１７は、描画対象となる爪Ｔを指固定部３にセットするよう指示する指示画面を表示させる（ステップＳ２）。
指Ｕ１指固定部３にセットされると、撮影制御部８１１が撮影部５０を制御して爪Ｔを撮影し、爪画像を取得する（ステップＳ３）。そして、爪情報検出部８１３により爪Ｔの輪郭等の爪情報が検出される（ステップＳ４）。
【００４６】
ここで、本実施形態において、制御部８１は、判断部として、爪情報検出部８１３により検出された爪情報等からそれが既登録の爪Ｔか否かを判断する（ステップＳ５）。
既登録の爪Ｔでない場合（ステップＳ５；ＮＯ）には、投影制御部８１２が画像投影部６０を制御することにより、指固定部３内の爪Ｔの表面に図６（ａ）に示すような元画像を投影させ、この状態で撮影部５０により爪Ｔを撮影して、図７（ａ）に示すような投影画像を取得する（ステップＳ６）。
投影画像が取得されると、変形取得部８１４が元画像と投影画像とを比較して変形度合を検出する（ステップＳ７）。そして、変形取得部８１４は、変形度合が検出できたか否かを判断し（ステップＳ８）、変形が検出できない場合（ステップＳ８；ＮＯ）には、画像投影部６０により爪Ｔに投影する画像を所定角度回転させてから（ステップＳ９）、ステップＳ６に戻って処理を繰り返す。
【００４７】
他方、変形が検出できた場合（ステップＳ８；ＹＥＳ）には、変形取得部８１４が、変形度合のデータ（すなわち、元画像と投影画像において対応する各画素の座標値がどのように変化（変位）したかのデータ）や逆変換データを補正情報として生成・取得し（ステップＳ１０）、これらの補正情報を補正情報記憶領域８２３に登録する（ステップＳ１１）。
また、指固定部３にセットされた爪Ｔが既登録の爪Ｔであった場合（ステップＳ５；ＹＥＳ）には、描画データ生成部８１５は、補正情報記憶領域８２３に登録されている当該爪Ｔの補正情報を読み出す（ステップＳ１２）。
そして、描画データ生成部８１５は、ユーザによって選択されたネイルデザインの描画像のデータを読み込み（ステップＳ１３）、当該描画像のデータを、当該爪Ｔに対応する補正情報及びこれを含む爪情報に基づいて補正し、描画用データを生成する（ステップＳ１４）。
描画データ生成部８１５により生成された描画用データは、描画制御部８１６に送られ、描画制御部８１６がこの描画用データを描画部４０に出力して、描画処理を開始させる（ステップＳ１５）。
描画制御部８１６は、描画処理が終了したか否かを判断し（ステップＳ１６）、描画処理が終了していない場合（ステップＳ１６；ＮＯ）には、ステップＳ１５に戻って描画処理を続行する。
他方、当該爪Ｔについてのネイルデザインの描画が終了すると（ステップＳ１６；ＹＥＳ）、本実施形態における描画処理が終了する。
描画処理が終了した際には、表示部１３等にその旨を表示させるようにしてもよい。
描画処理が終了すると、ユーザは、装置内から指Ｕ１を取り外し、描画部分の乾燥やオーバーコート剤の塗布等の後処理を行う。
【００４８】
なお、上記では特に記載しなかったが、本実施形態のネイルプリント装置１で爪Ｔへの描画を行う場合、まずユーザが爪領域に白色等のアンダーコート剤を塗布し、これを乾燥させるという事前処理を行った後に、指Ｕ１及びその爪Ｔを指固定部３に固定することが好ましい。
【００４９】
以上のように、本実施形態によれば、画像投影部６０によって元画像が投影されている状態で描画対象面である爪Ｔの表面を撮影して投影画像を取得し、元画像を基準としたときの投影画像の変形度合を取得して、この変形度合に基づいて、描画対象面である爪Ｔに描画する描画像のデータを補正し、描画用データを生成する。
これにより、爪Ｔの表面に皺や窪み等の凹凸部Ｔａがある場合でも、爪Ｔを削って表面を整える事前処理を行うことなく、歪みや変形のない美しい仕上がりのネイルプリントを行うことができる。
このため、ユーザがネイルプリント前に事前処理を行う時間や手間を省くことができ、手軽にネイルプリントを楽しむことができる。また、事前処理として爪Ｔを削る等を行う必要がないため、爪Ｔの厚みが薄くなることがなく、爪を削ることに伴う爪Ｔの割れや病気の発生のリスクを回避することができる。
さらに、元画像を基準としたときの投影画像の変形度合から爪Ｔの立体的な形状を把握して、これに基づき描画用データを生成することができるため、幅方向に湾曲している爪Ｔに描画する際にも爪Ｔの高さ方向の形状を別途計測する必要がない。また、当該爪Ｔの立体形状を描画用データに反映させることができるため、爪Ｔの湾曲形状を既成のパターンに分類して補正値を決める場合等に比べて、より爪Ｔの形状に合った正確な曲面補正を行うことができる。
【００５０】
また、本実施形態では、変形取得部８１４は、元画像から投影画像への変形を解消させるような逆変換データを生成し、描画データ生成部８１５は、この逆変換データを用いて描画像のデータを補正する。
これにより、逆変換データを当てはめるだけで正確な補正を行うことができる。
【００５１】
また、本実施形態では、画像投影部６０によって投影される元画像が、全面に繰り返し柄が形成されたパターン画像であるため、爪Ｔの表面について全面的かつ均一に補正情報を取得することができる。
【００５２】
さらに、本実施形態のように、画像投影部６０が、元画像を、その面内方向の角度を変えながら描画対象面である爪Ｔの表面に投影し、撮影部５０が、角度の異なる複数の投影画像を取得し、変形取得部８１４が、複数の投影画像について、それぞれ元画像を基準としたときの変形度合を取得する場合には、爪Ｔの表面全面についてより詳細な補正情報を取得することができる。このため、描画データ生成部８１５が、これら複数の投影画像の変形度合に基づいて、描画対象面である爪Ｔに描画する描画像のデータを補正することによって、より高精度の補正を行うことが可能となる。
【００５３】
また、本実施形態では、描画対象（爪Ｔ）を特定する情報と、当該描画対象の形状を示す情報とを登録する登録部として機能する補正情報記憶領域８２３等の記憶部８２と、描画部４０によって描画用データの描画を施す描画対象（爪Ｔ）が、登録部である記憶部８２に登録されている描画対象（爪Ｔ）であるか否かを判断する判断部として機能する制御部８１と、を更に備え、画像投影部６０は、判断部としての制御部８１によって登録部である記憶部８２に登録されている描画対象（爪Ｔ）ではないと判断した場合に、元画像を描画対象面（爪Ｔ）に投影する。
このため、未登録の指の爪Ｔが対象となる場合には、元画像を投影することで爪Ｔの表面形状に対応した正確な補正情報を取得することができるとともに、爪Ｔが既に登録されたものである場合には、既に登録されている情報を利用することにより、補正情報を得るための処理を省略することができ、迅速な描画処理を実現することができる。
【００５４】
また、描画部４０によって描画対象面に描画が施された描画対象（爪Ｔ）について、判断部としての制御部８１により当該爪Ｔが登録部としての記憶部８２に登録されている描画対象でないと判断された場合に、登録部としての記憶部８２には、当該描画対象（爪Ｔ）を特定する情報と、当該描画対象（爪Ｔ）の形状を示す情報とが登録される。
このため、未登録の爪Ｔも次回からは既登録の爪Ｔとして、各種処理を省略して簡易・迅速に正確な爪Ｔの領域内に描画を施すことが可能となる。
【００５５】
なお、以上本発明の実施形態について説明したが、本発明は、かかる実施形態に限定されず、その要旨を逸脱しない範囲で、種々変形が可能であることは言うまでもない。
【００５６】
例えば、本実施形態では、変形取得部８１４において元画像から投影画像への変形度合に基づき、この変形を解消させるような逆変換データを生成する場合を例示したが、変形取得部８１４において逆変換データを生成することは必須ではない。
例えば、変形取得部８１４により取得された変形度合のデータそのものに基づき、描画データ生成部８１５において元画像から投影画像への変形を解消させるような補正を描画像データに対して掛けることで描画用データを生成してもよい。
【００５７】
また、本実施形態では、ネイルデザインの画像データを格納するネイルデザイン記憶領域８２４がネイルプリント装置１の記憶部８２に設けられている場合を例示したが、ネイルデザインの画像データはネイルプリント装置１の記憶部８２に保存されている場合に限定されない。
例えば、ネットワーク回線等を介して接続可能なサーバ装置等にネイルデザインの画像データを記憶させておき、サーバ装置等にアクセスしてネイルデザインの画像データを参照可能に構成してもよい。
このようにすることで、より多くのネイルデザインの中から描画するデザインを選択することが可能となる。
【００５８】
また、本実施形態では、ネイルプリント装置（描画装置）１の描画ヘッド４１として、インクジェット方式の描画ヘッド４１を備える構成としたが、描画ヘッド４１の構成はこれに限定されない。
例えば、爪Ｔの表面にペン先を付けて描画を行う描画用のペンを保持するペンホルダを備え、ペンを用いて描画を行うようにしてもよい。また、本実施形態のようなインクジェット方式の描画ヘッドと描画用のペンを保持するペンホルダとを両方備えて、複数の描画手段を用いて描画を行う構成としてもよい。
【００５９】
また、ネイルプリント装置１に、描画後にインクを乾燥させるためのヒータやファンを備える乾燥部が設けられていてもよい。
【００６０】
また、本実施形態では、指固定部３に指Ｕ１の爪Ｔを固定して撮影や描画処理を行う場合を例示したが、本ネイルプリント装置（描画装置）１において描画可能な対象は指Ｕ１の爪Ｔに限定されない。
例えば、爪Ｔに貼り付けて用いられる爪チップ等、爪様の形状のものであっても、描画システムにおいて描画可能な「爪」とすることができる。
【００６１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
元画像を描画対象の描画対象面に投影する画像投影部と、
前記画像投影部によって前記元画像が投影された状態の前記描画対象面を撮影して投影画像を取得する撮影部と、
前記元画像を基準としたときの前記投影画像の変形度合を取得する変形取得部と、
前記変形取得部によって取得された変形度合に基づいて、前記描画対象面に描画する描画像のデータを補正して描画用データを生成する描画データ生成部と、
を備える描画データ生成装置。
＜請求項２＞
前記変形取得部は、前記元画像から前記投影画像への変形を解消させるような逆変換データを生成し、
前記描画データ生成部は、この逆変換データを用いて前記描画像のデータを補正する請求項１に記載の描画データ生成装置。
＜請求項３＞
前記画像投影部によって投影される前記元画像は、全面に繰り返し柄が形成されたパターン画像である請求項１又は請求項２に記載の描画データ生成装置。
＜請求項４＞
前記画像投影部は、前記元画像を、その面内方向の角度を変えながら前記描画対象面に投影し、
前記撮影部は、角度の異なる複数の前記投影画像を取得し、
前記変形取得部は、複数の前記投影画像について、それぞれ前記元画像を基準としたときの変形度合を取得するものであり、
前記描画データ生成部は、複数の前記投影画像の変形度合に基づいて、前記描画対象面に描画する描画像のデータを補正する請求項１から請求項３のいずれか一項に記載の描画データ生成装置。
＜請求項５＞
前記描画データ生成部により生成された描画用データに基づいて前記描画対象面に描画を施す描画部を更に備えた請求項１から請求項４のいずれか一項に記載の描画データ生成装置。
＜請求項６＞
前記描画対象を特定する情報と、当該描画対象の形状を示す情報とを登録する登録部と、
前記描画部によって描画用データの描画を施す前記描画対象が、前記登録部に登録されている描画対象であるか否かを判断する判断部と、を更に備え、
前記画像投影部は、前記判断部によって前記登録部に登録されている描画対象ではないと判断した場合に、前記元画像を前記描画対象面に投影する請求項５に記載の描画データ生成装置。
＜請求項７＞
前記登録部は、前記判断部によって前記登録部に登録されている描画対象でないと判断された場合に、前記描画部によって描画対象面に描画が施された前記描画対象について、当該描画対象を特定する情報と、当該描画対象の形状を示す情報とを登録する請求項５又は請求項６に記載の描画データ生成装置。
＜請求項８＞
元画像を描画対象面に投影する画像投影工程と、
前記画像投影工程において前記元画像が投影された状態の前記描画対象面を撮影して投影画像を取得する撮影工程と、
前記元画像を基準としたときの前記投影画像の変形度合を取得する変形取得工程と、
前記変形取得工程において取得された変形度合に基づいて、前記描画対象面に描画する描画像のデータを補正して描画用データを生成する描画データ生成工程と、
を含んでいる描画データ生成方法。
【符号の説明】
【００６２】
１        ネイルプリント装置
４０      描画部
４１      描画ヘッド
５０      撮影部
６０      画像投影部
８１      制御部
８２      記憶部
８１１    撮影制御部
８１２    投影制御部
８１３    爪情報検出部
８１４    変形取得部
Ｔ        爪
Ｕ１      指
【図１】
2019054901.tif 000003
【図２】
2019054901.tif 000004
【図３】
2019054901.tif 000005
【図４】
2019054901.tif 000006
【図５】
2019054901.tif 000007
【図６】
2019054901.tif 000008
【図７】
2019054901.tif 000009
【図８】
2019054901.tif 000010
【図９】
2019054901.tif 000011